(57)【特許請求の範囲】
【請求項１】
患者毎に当該患者の患者識別子と当該患者の入院位置と当該患者の病名とを少なくとも含む患者情報を管理する管理手段と、
看護師が携帯する端末装置の存在位置を特定する特定手段と、
前記管理手段が管理する患者情報から、前記特定手段が特定した前記端末装置の存在位置周辺を入院位置とする患者情報を抽出する抽出手段と、
前記抽出手段が抽出した患者情報と当該患者情報に含まれる病名に応じたマーカーとを、タブ形式により患者毎に切り替え表示可能な状態で前記端末装置に提供する提供手段と、
を備える看護業務支援装置。
【請求項２】
前記提供手段が提供した前記患者情報のうち、特定の患者情報の選択を前記端末装置から受け付ける選択受付手段を更に備え、
前記抽出手段は、前記選択受付手段が受け付けた前記特定の患者情報に含まれる入院位置に基づいて、当該入院位置周辺を入院位置とする他の患者の患者情報を、前記管理手段から抽出する請求項１に記載の看護業務支援装置。
【請求項３】
前記抽出手段は、前記選択受付手段が受け付けた前記特定の患者情報に含まれる入院位置に基づいて、当該患者情報の患者が入院する病室内の他の患者の患者情報を前記管理手段から抽出する請求項２に記載の看護業務支援装置。
【請求項４】
看護師の各々が携帯する端末装置であって、
患者毎に当該患者の入院位置と当該患者の病名とを少なくとも含む患者情報を管理する看護業務支援装置から、自装置の存在位置周辺を入院位置とする患者情報を取得する取得手段と、
前記取得手段が取得した患者情報と当該患者情報に含まれる病名に応じたマーカーとを、タブ形式により患者毎に切り替え可能な状態で表示装置に表示する表示手段と、
を備える端末装置。
【請求項５】
前記表示装置に表示された患者情報のうち、特定の患者情報の選択を前記端末装置から受け付ける選択受付手段と、
前記選択受付手段が選択を受け付けた前記特定の患者情報を、前記看護業務支援装置に指定する患者情報指定手段と、
を備え、
前記取得手段は、前記患者情報指定手段が指定した前記特定の患者情報に含まれる前記入院位置周辺を入院位置とする他の患者の患者情報を、前記看護業務支援装置から取得する請求項４に記載の端末装置。
【請求項６】
前記表示手段は、前記取得手段が取得した前記患者情報に含まれる患者識別子を、当該患者情報に含まれる病名に応じたマーカーと対応付け、患者リストとして一覧表示する請求項４に記載の端末装置。
【請求項７】
前記表示装置に表示された患者リストのうち、特定の患者識別子の選択を前記端末装置から受け付ける選択受付手段と、
前記選択受付手段が選択を受け付けた前記特定の患者識別子に対応する患者情報を、前記看護業務支援装置に指定する患者情報指定手段と、
を備え、
前記取得手段は、前記患者情報指定手段が指定した患者情報に含まれる前記入院位置周辺を入院位置とする他の患者の患者情報を、前記看護業務支援装置から取得する請求項６に記載の端末装置。
【請求項８】
看護業務支援装置のコンピュータを、
患者毎に当該患者の患者識別子と当該患者の入院位置と当該患者の病名とを少なくとも含む患者情報を管理する管理手段と、
看護師が携帯する端末装置の存在位置を特定する特定手段と、
前記管理手段が管理する患者情報から、前記特定手段が特定した前記端末装置の存在位置周辺を入院位置とする患者情報を抽出する抽出手段と、
前記抽出手段が抽出した患者情報と当該患者情報に含まれる病名に応じたマーカーとを、タブ形式により患者毎に切り替え表示可能な状態で前記端末装置に提供する提供手段と、
して機能させるためのプログラム。
【発明の詳細な説明】
【技術分野】
【０００１】
本発明の実施形態は、看護業務支援装置、端末装置及びプログラムに関する。
【背景技術】
【０００２】
従来、看護師が処置を担当する患者のリスト情報を作成し、表示することが可能な装置が提案されている。
【発明の概要】
【発明が解決しようとする課題】
【０００３】
しかしながら、従来の技術では、看護師の存在位置とは無関係な患者のリスト情報が表示される可能性があるため、利便性に欠けるという問題があった。
【課題を解決するための手段】
【０００４】
実施の形態の看護業務支援装置は、管理手段と、特定手段と、抽出手段と、提供手段とを備える。管理手段は、患者毎に当該患者の患者識別子と当該患者の入院位置と当該患者の病名とを少なくとも含む患者情報を管理する。特定手段は、看護師が携帯する端末装置の存在位置を特定する。抽出手段は、管理手段が管理する患者情報から、特定手段が特定した端末装置の存在位置周辺を入院位置とする患者情報を抽出する。提供手段は、抽出手段が抽出した患者情報と当該患者情報に含まれる病名に応じたマーカーとを、タブ形式により患者毎に切り替え表示可能な状態で端末装置に提供する。
【図面の簡単な説明】
【０００５】
【図１】図１は、本実施形態に係る看護業務システムの構成を概略的に示す図である。
【図２】図２は、図１に示した業務支援サーバの構成の一例を示す図である。
【図３】図３は、図２に示したＡＰ管理ファイルのデータ構成の一例を示す図である。
【図４】図４は、図２に示した患者情報管理ファイルのデータ構成の一例を示す図である。
【図５】図５は、図１に示した看護師端末の構成の一例を示す図である。
【図６】図６は、看護師端末の表示部に表示された患者リスト画面の一例を示す図である。
【図７】図７は、看護師端末の表示部に表示された患者情報画面の一例を示す図である。
【図８】図８は、業務支援サーバ及び看護師端末で行われる、患者リストの授受に係る処理の手順を示すフローチャートである。
【図９】図９は、業務支援サーバ及び看護師端末で行われる、患者情報の授受に係る処理の手順を示すフローチャートである。
【発明を実施するための形態】
【０００６】
以下、添付図面を参照して、本願発明に係る看護業務支援装置、端末装置及びプログラムの実施形態を詳細に説明する。以下では、看護師の看護業務を支援する看護業務支援システムに適用した例を説明するが、この実施形態によりこの発明が限定されるものではない。
【０００７】
図１は、本実施形態に係る看護業務システム１の構成を概略的に示す図である。同図に示すように、看護業務システム１は、看護業務支援装置としての業務支援サーバ１０と、アクセスポイント２０と、端末装置としての看護師端末３０とを有している。
【０００８】
図１において、業務支援サーバ１０は、イントラネット等のネットワークＮを介してアクセスポイント２０と接続されており、このアクセスポイント２０を介して看護師端末３０との間で通信を行う。なお、看護業務システム１に含まれるアクセスポイント２０及び看護師端末３０の個数は、特に問わないものとする。
【０００９】
業務支援サーバ１０は、看護業務に関する情報を看護師端末３０に提供する一又は複数のサーバ装置である。
【００１０】
図２は、業務支援サーバ１０の構成の一例を示す図である。同図に示すように、業務支援サーバ１０は、情報処理を実行するマイクロコンピュータとして、ＣＰＵ１１、ＲＯＭ１２及びＲＡＭ１３を備えている。
【００１１】
ＣＰＵ１１は、ＲＯＭ１２や後述する記憶部１６に記憶された各種プログラムを実行することにより、業務支援サーバ１０の動作を統括的に制御する。ＲＯＭ１２は、基本動作を行うためのプログラムを記憶している。ＲＡＭ１３は、業務支援サーバ１０の主記憶装置であって、ＣＰＵ１１のワークエリアとして機能する。
【００１２】
また、ＣＰＵ１１には、各種の入出力回路（図示せず）を介して、入力部１４及び表示部１５が接続されている。入力部１４は、キーボードやポインティングデバイス等の入力デバイスであって、業務支援サーバ１０の操作者から入力された操作内容をＣＰＵ１１に通知する。表示部１５は、ＬＣＤ等の表示デバイスを有し、ＣＰＵ１１の指示に従い各種の情報を表示する。
【００１３】
また、ＣＰＵ１１には、各種の入出力回路（図示せず）を介して、記憶部１６、通信Ｉ／Ｆ１７が接続されている。
【００１４】
記憶部１６は、ＨＤＤやフラッシュメモリ等の記憶媒体であって、業務支援サーバ１０の動作に係る各種プログラム及び各種ファイルを記憶している。記憶部１６が記憶するファイルとしては、例えば、ＡＰ管理ファイル１６１及び患者情報管理ファイル１６２等が挙げられる。
【００１５】
図３は、ＡＰ管理ファイル１６１のデータ構成の一例を示す図である。同図に示すように、ＡＰ管理ファイル１６１は、データ項目として「ＡＰ識別子」及び「設置位置」を有し、これらのデータ項目を対応付けて管理している。
【００１６】
「ＡＰ識別子」には、各アクセスポイント２０を識別するための識別子（ＡＰ識別子）が格納される。ＡＰ識別子としては、例えば、各アクセスポイント２０に予め割り当てられたＩＰアドレスやＭＡＣアドレス、機器個体番号等を用いることができる。「設置位置」には、対応するアクセスポイント２０の設置位置を示す位置情報が格納される。ここで、設置位置としては、例えば、アクセスポイント２０が設置された部屋の位置を示す情報（病室番号等）、病院内での絶対位置を示す座標等が格納される。なお、ＡＰ管理ファイル１６１のデータ構成は、図３の例に限らないものとする。
【００１７】
図４は、患者情報管理ファイル１６２のデータ構成の一例を示す図である。同図に示すように、患者情報管理ファイル１６２は、患者情報を構成するデータ項目として、「患者識別子」、「入院位置」、「個人情報」及び「病名」を有し、これらのデータ項目を対応付けて管理している。
【００１８】
「患者識別子」には、各患者（入院患者）を識別するための識別子（患者識別子）が格納される。患者識別子としては、例えば、患者の氏名、各患者に予め割り当てられた患者ＩＤ等を用いることができる。「入院位置」には、対応する患者の入院位置を示す位置情報が格納される。入院位置としては、例えば、患者が入院する病床の位置を示す情報（病床番号等）、入院する部屋の位置を示す情報（病室番号等）、病院内での絶対位置示す座標等が格納される。「個人情報」には、対応する患者の氏名、性別、年齢等、患者に関する個人情報が格納される。「病名」には、対応する患者の病名、病状、病態等（以下、総称して病名という）が格納される。なお、患者情報管理ファイル１６２のデータ構成は、図４の例に限らないものとする。
【００１９】
図２に戻り、通信Ｉ／Ｆ１７は、ネットワークＮに接続するためのインタフェースである。通信Ｉ／Ｆ１７は、ネットワークＮに接続されたアクセスポイント２０を介して、看護師端末３０との間で各種情報の授受を行う。
【００２０】
次に、業務支援サーバ１０が有する特徴的な機能について説明する。ＣＰＵ１１は、ＲＯＭ１２や記憶部１６に記憶された所定のプログラムとの協働により、図２に示すように、位置特定部１１１及び患者情報提供部１１２を、機能部として実現させる。
【００２１】
位置特定部１１１は、自装置にアクセスした看護師端末３０が利用するアクセスポイント２０のＡＰ識別子に基づき、このＡＰ識別子に対応する設置位置を、アクセス元の看護師端末３０の存在位置として、ＡＰ管理ファイル１６１から特定する。
【００２２】
患者情報提供部１１２は、患者情報管理ファイル１６２に格納された患者情報を、看護師端末３０に提供する。
【００２３】
具体的に、患者情報提供部１１２は、自装置へのアクセスに伴い位置特定部１１１で特定された看護師端末３０の存在位置と、患者情報管理ファイル１６２に格納された各患者の入院位置とに基づき、その存在位置周辺を入院位置とする患者の患者識別子を、患者情報管理ファイル１６２から抽出する。そして、患者情報提供部１１２は、抽出した患者情識別子を患者リストとして、アクセス元の看護師端末３０に提供（送信）する。
【００２４】
ここで、看護師端末３０の存在位置周辺を入院位置とする患者とは、例えば、看護師端末３０の存在位置周辺の病室或いは当該病室内の病床を入院位置とする患者である。なお、看護師端末３０の存在位置周辺の定義は、任意に設定可能であるとする。
【００２５】
患者情報提供部１１２は、患者リストの提供先となった看護師端末３０から、特定の患者情報（患者識別子）を指定する要求情報を受け付けると、この患者識別子に対応する入院位置を患者情報管理ファイル１６２から特定する。患者情報提供部１１２は、特定した入院位置に基づき、この入院位置の患者情報及び当該入院位置周辺を入院位置とする他の患者の患者情報を患者情報管理ファイル１６２から抽出する。
【００２６】
ここで、特定の入院位置周辺を入院位置とする他の患者とは、例えば、特定の入院位置が病床を示す場合には、その病床が設けられた病室内の患者である。また、特定の入院位置が特定の病室を示す場合には、その病室を入院位置とする患者である。なお、看護師端末３０の存在位置周辺及び患者の入院位置周辺の範囲は、任意に設定可能であるとする。
【００２７】
また、患者情報提供部１１２は、抽出した患者情報を、要求情報を送信した看護師端末３０に提供（送信）する。ここで、患者情報提供部１１２は、患者情報に含まれる病名に応じたマーカーを、表示可能な状態で看護師端末３０に提供する。マーカーは、病名に応じたアイコン画像や文字（記号を含む）等で表され、患者情報に含めて看護師端末３０に送信される。なお、マーカーの提供方法は、種々の形態が可能であり、例えば、患者情報に含まれる病名が、所定の病名（例えば、感染率の高い病名等）に一致する場合に、その病名に応じたマーカーを表示可能な状態で看護師端末３０に提供する形態としてもよい。
【００２８】
次に、アクセスポイント２０について説明する。アクセスポイント２０は、無線ＬＡＮのアクセスポイント等であって、ネットワークＮに接続されている。アクセスポイント２０は、病院内の各所に設置されており当該設置位置周辺に存在する看護師端末３０と通信を確立する。これにより、看護師端末３０は、アクセスポイント２０を介して業務支援サーバ１０と通信可能に接続される。なお、アクセスポイント２０は、業務支援サーバ１０との通信時に、自装置のＡＰ識別子を業務支援サーバ１０に送信する。
【００２９】
次に、看護師端末３０について説明する。看護師端末３０は、ノートＰＣ（Personal  Computer）、タブレット端末、ハンディターミナル等の端末装置であって、看護師により携帯される。看護師は、自己の看護師識別子を看護師端末３０に入力することで、当該看護師端末３０を使用することが可能となっている。なお、アクセスポイント２０を介して業務支援サーバ１０と通信する際には、この看護師識別子と看護師端末３０の端末識別子とが業務支援サーバ１０に送信されるよう構成されている。
【００３０】
図５は、看護師端末３０の構成の一例を示す図である。同図に示すように、看護師端末３０は、情報処理を実行するマイクロコンピュータとして、ＣＰＵ３１、ＲＯＭ３２及びＲＡＭ３３を備えている。
【００３１】
ＣＰＵ３１は、ＲＯＭ３２や後述する記憶部３６に記憶された各種プログラムを実行することにより、看護師端末３０の動作を統括的に制御する。ＲＯＭ３２は、基本動作を行うためのプログラムを記憶している。ＲＡＭ３３は、看護師端末３０の主記憶装置であって、ＣＰＵ３１のワークエリアとして機能する。
【００３２】
また、ＣＰＵ３１には、各種の入出力回路（図示せず）を介して、入力部３４及び表示部３５が接続されている。入力部３４は、キーボードやポインティングデバイス等の入力デバイスであって、看護師端末３０の操作者から入力された操作内容をＣＰＵ３１に通知する。表示部３５は、ＬＣＤ（Liquid  Crystal  Display）等の表示デバイスを有し、ＣＰＵ３１の指示に従い各種の情報を表示する。なお、入力部３４をタッチパネル構成とすることで、表示部３５と協働して入力を受け付ける形態としてもよい。
【００３３】
また、ＣＰＵ３１には、各種の入出力回路（図示せず）を介して、記憶部３６及び通信Ｉ／Ｆ３７が接続されている。記憶部３６は、ＨＤＤやフラッシュメモリ等の記憶媒体であって、Ｗｅｂブラウザ等の各種プログラムや各種ファイルを記憶している。通信Ｉ／Ｆ３７は、アクセスポイント２０と接続可能なインタフェースであって、アクセスポイント２０を介し業務支援サーバ１０との間で各種データの送受信を行う。なお、通信Ｉ／Ｆ３７は、業務支援サーバ１０との通信時に、自装置を操作する看護師の看護師識別子及び自装置の端末識別子を業務支援サーバ１０に送信する。
【００３４】
次に、看護師端末３０が有する特徴的な機能について説明する。ＣＰＵ３１は、ＲＯＭ３２や記憶部３６に記憶された所定のプログラムとの協働により、図５に示すように、患者情報取得部３１１、患者情報表示部３１２及び要求情報送信部３１３を、機能部として実現させる。
【００３５】
患者情報取得部３１１は、通信Ｉ／Ｆ３７を用いて、業務支援サーバ１０から提供される患者リスト及び患者情報を取得する。
【００３６】
患者情報表示部３１２は、患者情報取得部３１１が取得した患者リスト及び患者情報を表示部３５に表示させる。具体的に、患者情報表示部３１２は、業務支援サーバ１０から提供される患者リストに基づき、図６に示すような患者リスト画面を表示部３５に表示させる。
【００３７】
図６は、看護師端末３０の表示部３５に表示された患者リスト画面の一例を示す図である。同図に示すように、患者情報表示部３１２は、業務支援サーバ１０から患者リストとして提供された患者識別子の一覧を、患者リスト画面として表示させる。ここで、看護師端末３０の操作者は、入力部３４を介して、患者情報の取得対象となる患者識別子を選択することが可能となっている。例えば、図６に示した患者識別子Ｐ１〜Ｐ３のうち、患者識別子Ｐ１（東芝太郎）が選択されると、この患者識別子Ｐ１が要求情報送信部３１３に通知される。
【００３８】
また、患者情報表示部３１２は、要求情報に対する応答として業務支援サーバ１０から提供される患者情報に基づき、図７に示すような患者情報画面を表示部３５に表示させる。
【００３９】
図７は、看護師端末３０の表示部３５に表示された患者情報画面の一例を示す図である。同図に示すように、患者情報表示部３１２は、業務支援サーバ１０から提供された患者情報を、患者情報画面として表示させる。同図では、業務支援サーバ１０から提供された３人分の患者の患者情報が提供された例を示しており、タブＴ１〜Ｔ３を選択することで、各患者の表示を切り替えることが可能となっている。なお、患者情報画面の表示開始時には、要求情報で指定した患者識別子を含む患者情報が表示されるものとする。
【００４０】
また、図７において、領域Ａ１内には、患者情報に含まれる病名に応じたアイコン画像、文字等が、マーカーとして表示される。ここで、マーカーの表示方法は、特に問わず、例えば、患者情報に含まれる病名が、所定の病名（例えば、感染率の高い病名等）に一致する場合に、その病名に応じたマーカーを表示する形態としてもよい。また、領域Ａ２には、患者情報に含まれる各種の情報が表示される。なお、図７ではタブ形式で各患者の患者情報を切り替える表示形態としたが、これに限らず、例えばページ形式で患者情報を切り替える等の他の表示形態としてもよい。
【００４１】
図５に戻り、要求情報送信部３１３は、表示部３５に表示された患者リストのうち、特定の患者の患者識別子（患者名）が選択されると、この患者識別子を含む要求情報を生成し、通信Ｉ／Ｆ３７を用いて業務支援サーバ１０に送信する。
【００４２】
以下、上述した構成の看護業務システム１の動作について説明する。まず、図８を参照して、業務支援サーバ１０と看護師端末３０との間で行われる、患者リストの授受に係る処理について説明する。
【００４３】
図８は、業務支援サーバ１０及び看護師端末３０で行われる、患者リストの授受に係る処理の手順を示すフローチャートである。まず、看護師端末３０では、自装置の周辺に配置されているアクセスポイント２０と通信を確立すると、このアクセスポイント２０を介して業務支援サーバ１０にアクセスする（ステップＳ１１）。
【００４４】
業務支援サーバ１０では、看護師端末３０からのアクセスを受け付けると（ステップＳ２１）、位置特定部１１１は、この看護師端末３０が利用したアクセスポイント２０のＡＰ識別子に対応付けられた設置位置に基づき、看護師端末３０の存在位置を特定する（ステップＳ２２）。
【００４５】
続いて、患者情報提供部１１２は、ステップＳ２２で特定された存在位置と、患者情報管理ファイル１６２に格納された各患者の入院位置とに基づいて、この存在位置周辺を入院位置とする患者の患者識別子を、患者情報管理ファイル１６２から抽出する（ステップＳ２３）。次いで、患者情報提供部１１２は、ステップＳ２３で抽出した患者識別子を患者リストとして、アクセス元の看護師端末３０に提供（送信）する（ステップＳ２４）。
【００４６】
看護師端末３０では、業務支援サーバ１０から提供された患者リストを患者情報取得部３１１が取得すると（ステップＳ１２）、患者情報表示部３１２は、この患者リストに基づき、患者リスト画面（図６参照）を表示部３５に表示させ（ステップＳ１３）、処理を終了する。
【００４７】
上述した患者リストの授受に係る処理により、看護師の存在位置周辺を入院位置とする患者の患者リストが、当該看護師が携帯する看護師端末３０に通知される。これにより、看護師は、表示部３５に表示された、自己の存在位置周辺の患者の患者リストを確認しながら作業を進めることができるため、看護師の利便性を向上させることができるとともに、作業の円滑化を図ることができる。
【００４８】
次に、図９を参照して、業務支援サーバ１０と看護師端末３０との間で行われる、患者情報の授受に係る処理について説明する。
【００４９】
図９は、業務支援サーバ１０及び看護師端末３０で行われる、患者情報の授受に係る処理の手順を示すフローチャートである。なお、本処理の前提として、看護師端末３０の表示部３５には患者リストが表示されているものとする。
【００５０】
まず、看護師端末３０では、要求情報送信部３１３が、表示部３５に表示された患者リストから、何れか一の患者識別子が選択されるまで待機する（ステップＳ３１；Ｎｏ）。ここで、要求情報送信部３１３は、患者識別子の選択を受け付けると（ステップＳ３１；Ｙｅｓ）、選択された患者識別子を指定する情報を含んだ要求情報を生成し、業務支援サーバ１０に送信する（ステップＳ３２）。
【００５１】
一方、業務支援サーバ１０では、看護師端末３０から送信された要求情報を患者情報提供部１１２が受け付けると（ステップＳ４１）、この要求情報で指定された患者識別子に対応する入院位置を患者情報管理ファイル１６２から特定する（ステップＳ４２）。次いで、患者情報提供部１１２は、ステップＳ４２で特定した入院位置に基づき、この入院位置及び当該入院位置周辺を入院位置とする各患者の患者情報を、患者情報管理ファイル１６２から抽出する（ステップＳ４３）。続いて、患者情報提供部１１２は、ステップＳ４３で抽出した患者情報を、要求情報を送信した看護師端末３０に提供（送信）する（ステップＳ４４）。
【００５２】
看護師端末３０では、業務支援サーバ１０から提供された患者情報を患者情報取得部３１１が取得すると（ステップＳ３３）、患者情報表示部３１２は、ステップＳ３３で取得された患者情報に基づき、患者情報画面（図７参照）を表示部３５に表示させ（ステップＳ３４）、処理を終了する。なお、ステップＳ３４では、患者情報に含まれる病名に応じたマーカーが患者識別子と関連付けて表示されるものとする。
【００５３】
上述した患者情報の授受に係る処理により、看護師の存在位置周辺に存在する各患者の患者情報が、当該看護師が携帯する看護師端末３０の表示部３５に表示される。これにより、看護師は、表示部３５に表示された自己の存在位置周辺の患者の患者情報を確認しながら作業を進めることができるため、看護師の利便性を向上させることができるとともに、作業の円滑化を図ることができる。また、患者の病名に応じたマーカーを患者情報（患者識別子）と関連付けて表示することで、看護師は、各患者の病名を容易に把握することが可能となるため、看護師の利便性を向上させることができる。
【００５４】
以上のように、本実施形態によれば、看護師の存在位置周辺を入院位置とする患者の患者情報を、当該看護師が携帯する看護師端末３０に提供する。これにより、看護師の存在位置に応じた患者情報を当該看護師に提供することができるため、看護師の利便性を向上させることができるとともに、作業の円滑化を図ることができる。
【００５５】
以上、本発明の実施の形態について説明したが、本発明はこれに限定されるものではなく、本発明の主旨を逸脱しない範囲での種々の変更、置換、追加等が可能である。
【００５６】
例えば、上記実施形態では、患者リストとして患者情報に含まれる患者識別子を看護師端末３０に提供する形態としたが（ステップＳ２３、Ｓ２４）、これに限らず、患者情報管理ファイル１６２から抽出した患者情報自体を患者リストとして看護師端末３０に提供する形態としてもよい。また、この場合、看護師端末３０では、患者リスト画面において、各患者情報に含まれる病名に応じたマーカーを、患者識別子に対応付けて表示することが好ましい。これにより、看護師は、患者リスト画面の段階で、各患者の病名を確認することができるため、利便性を向上させることができる。
【００５７】
また、上記実施形態では、看護師端末３０のアクセスに応じて、業務支援サーバ１０から患者識別子（患者リスト）を提供する形態としたが、これに限らず、その患者識別子を含んだ患者情報自体を提供する形態としてもよい。
【００５８】
また、上記実施形態では、アクセスポイント２０を用いて各看護師端末３０の存在位置を特定する形態としたが、存在位置の特定方法はこれに限らないものとする。例えば、病院内の各所にＲＦＩＤリーダを設け、看護師端末３０に付されたＲＦＩＤタグを読み取ったＲＦＩＤリーダの配置位置から、看護師端末３０の存在位置を特定する形態としてもよい。また、看護師端末３０自体がＧＰＳ等の位置検出部を備える場合には、この位置検出部で検出された位置情報を看護師端末３０から業務支援サーバ１０に送信する構成とすることで、当該位置情報に基づき看護師端末３０の存在位置を特定する形態としてもよい。
【００５９】
また、上記実施形態の各装置で実行されるプログラムは、各装置が備える記録媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００６０】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６１】
１  看護業務システム
１０  業務支援サーバ
１１  ＣＰＵ
１１１  位置特定部
１１２  患者情報提供部
１２  ＲＯＭ
１３  ＲＡＭ
１４  入力部
１５  表示部
１６  記憶部
１６１  ＡＰ管理ファイル
１６２  患者情報管理ファイル
１７  通信Ｉ／Ｆ
２０  アクセスポイント
３０  看護師端末
３１  ＣＰＵ
３１１  患者情報取得部
３１２  患者情報表示部
３１３  要求情報送信部
３２  ＲＯＭ
３３  ＲＡＭ
３４  入力部
３５  表示部
３６  記憶部
３７  通信Ｉ／Ｆ
Ｎ  ネットワーク
【先行技術文献】
【特許文献】
【００６２】
【特許文献１】特開２００５−２４４５８１号公報
【図１】
0005629709.tif 000002
【図２】
0005629709.tif 000003
【図３】
0005629709.tif 000004
【図４】
0005629709.tif 000005
【図５】
0005629709.tif 000006
【図６】
0005629709.tif 000007
【図７】
0005629709.tif 000008
【図８】
0005629709.tif 000009
【図９】
0005629709.tif 000010